(57)【要約】  【課題】  本発明は、ひとつの袋で固形物等の収容、及び固形物と液体との分離や固形物の篩い分け等を行うことができ応用性に優れ、さらに周辺環境を汚染することなく密封して保存や廃棄を行うことができ保管性に優れる固形物分離袋を提供することを目的とする。  【解決手段】  本発明の固形物分離袋は、上部開口部を有する上段袋体と、前記上段袋体の底部に形成された上段袋体開口部と、前記上段袋体開口部に形成され前記上段袋体開口部を封止する上段袋体封止部と、網状部又は複数の切れ目部若しくは孔部が形成され開口部が前記上段袋体開口部に連接する下段袋体と、を備える。  【選択図】  図１
2005130794.tif 000002
【特許請求の範囲】
【請求項１】
上部開口部を有する上段袋体と、前記上段袋体の底部に形成された上段袋体開口部と、前記上段袋体開口部に形成され前記上段袋体開口部を封止する上段袋体封止部と、網状部又は複数の切れ目部若しくは孔部が形成され開口部が前記上段袋体開口部に連接する下段袋体と、を備えていることを特徴とする固形物分離袋。
【請求項２】
上部開口部を有する内袋と、前記内袋の底部に形成された内袋底部開口部と、前記内袋底部開口部に形成され前記内袋底部開口部を封止する内袋底部封止部と、網状部又は複数の切れ目部若しくは孔部が形成され開口部が前記内袋の外側に固設され前記内袋を収納する外袋と、を備えていることを特徴とする固形物分離袋。
【請求項３】
前記上段袋体又は前記内袋の前記上部開口部に形成され前記上部開口部を開閉自在にする上部開口部開閉部を備えていることを特徴とする請求項１又は２に記載の固形物分離袋。
【請求項４】
前記下段袋体又は前記外袋が、柔軟性を有する筒状体で被覆されていることを特徴とする請求項１乃至３の内いずれか１に記載の固形物分離袋。
【請求項５】
側壁と前記側壁の内側に形成された収容部とを有する収納体と、前記収容部内に配設され上部開口部が前記収納体の前記側壁に装着された請求項１乃至４の内いずれか１に記載の固形物分離袋と、を備えていることを特徴とするペット用トイレ。
【請求項６】
前記収納体が、無底の枠状であることを特徴とする請求項５に記載のペット用トイレ。
【発明の詳細な説明】
【技術分野】
【０００１】
本発明は、固形物や液体等の混合物等を収容し、収容後には所定サイズよりも小さな固形物や液体等を分離できる固形物分離袋及びそれを用いたペット用トイレに関するものである。
【背景技術】
【０００２】
従来より、粒状体等の固形物等を収容でき、さらに所定サイズよりも小さな固形物や液体等を分離できる袋が用いられている。
従来の技術としては、例えば（特許文献１）に「合成樹脂フィルムで形成された袋体と、前記袋体の底部に形成された通液孔と、前記袋体の口縁部に形成された紐通し部と、を有する生ゴミ処理用袋」が開示されている。
【特許文献１】特開平９−４７７４６号公報
【発明の開示】
【発明が解決しようとする課題】
【０００３】
しかしながら上記従来の技術においては、以下のような課題を有していた。
（１）（特許文献１）に開示の技術は、袋体に液体や液体が含浸した固形物等を収容すると、底部の通液孔から液体や臭いが漏れ出し周辺環境が汚染されてしまうという課題を有していた。
（２）そのため、生ゴミ処理用袋は、有底の処理容器の内側に装着して通液孔から漏れ出した液体や臭いが処理容器外へ漏れ出さないようにしなければ使用できず、用途が限定され応用性に欠けるという課題を有していた。
【０００４】
本発明は上記従来の課題を解決するもので、ひとつの袋で固形物等の収容、及び固形物と液体との分離や固形物の篩い分け等を行うことができ応用性に優れ、さらに周辺環境を汚染することなく密封して保存や廃棄を行うことができ保管性に優れる固形物分離袋を提供することを目的とする。
また、本発明は、洗浄等を行わなくても容易に清潔に保つことができ清潔性に優れ、また糞等が発生する悪臭等に悩まされることなくゴミ収集日まで保管し廃棄することができ使用性に優れ、さらに猫等のペットの爪等に引っ掛かり難く破れ難く耐久性が高く省資源性に優れるペット用トイレを提供することを目的とする。
【課題を解決するための手段】
【０００５】
上記従来の課題を解決するために本発明の固形物分離袋及びそれを備えたペット用トイレは、以下の構成を有している。
本発明の請求項１に記載の固形物分離袋は、上部開口部を有する上段袋体と、前記上段袋体の底部に形成された上段袋体開口部と、前記上段袋体開口部に形成され前記上段袋体開口部を封止する上段袋体封止部と、網状部又は複数の切れ目部若しくは孔部が形成され開口部が前記上段袋体開口部に連接する下段袋体と、を備えた構成を有している。
この構成により、以下のような作用が得られる。
（１）上段袋体開口部を封止する上段袋体封止部を備えているので、上段袋体開口部を閉じて上段袋体の上段袋体開口部を封止することにより、上段袋体内に粒状体等の固形物や液体等を収容することができる。
（２）上段袋体開口部を封止する上段袋体封止部と、網状部又は複数の切れ目部若しくは孔部が形成され開口部が上段袋体開口部に連接する下段袋体と、を備えているので、上段袋体封止部を封止して粒状体等の固形物や液体等を収容した後に上段袋体封止部を開けることにより、上段袋体に収容されていた固形物や液体等を下段袋体に移し変え、網状部，切れ目部，孔部を篩として用いて、外形寸法の大きな固形物を下段袋体内に残し、網状部の目開き、切れ目部，孔部の大きさよりも外形寸法の小さな固形物や液体等は切れ目部等を通過させて分離させることができる。
（３）分離され下段袋体に残留した固形物は、上段袋体封止部で上段袋体開口部を封止した後、下段袋体を包み込むようにして上段袋体を裏返し、さらに上段袋体の上部開口部を閉じることにより封じ込めることができ、保存や廃棄を容易に行うことができる。
【０００６】
ここで、上段袋体としては、通液性を有さないフィルム状やシート状で形成されたものが用いられ、上段袋体の材質としては、例えば、ポリエチレン，ポリプロピレン，ポリエステル，ポリアミド等の熱可塑性合成樹脂製で形成されたものが用いられる。
【０００７】
上段袋体封止部としては、上段袋体開口部を封止可能なジッパー，チャック，ファスナー等で形成されたものが用いられる。上段袋体封止部は上段袋体の形成時に一体に形成してもよく、または上段袋体封止部を上段袋体の内側にヒートシールや接着剤，粘着剤等で固定してもよい。
【０００８】
下段袋体としては、一部に網状部が形成された袋体、全体が網状で形成された袋体、複数の切れ目部や孔部が形成された袋体が用いられる。網状部の目開き、切れ目部や孔部の大きさとしては、下段袋体で分離させる固形物等の大きさに応じて適宜選択することができる。
なお、下段袋体の少なくとも底部には網状部又は切れ目部若しくは孔部が形成されている。固形物等を篩い分けて分離するのを容易に行うためである。
下段袋体の材質としては、ポリエチレン，ポリプロピレン，ポリエステル，ポリアミド等の合成樹脂製で形成されたものが好適に用いられる。
下段袋体は、上段袋体の形成時に一体に形成してもよく、または上段袋体の上段袋体開口部の開口縁部にヒートシールや接着剤，粘着剤等で固定してもよい。
【０００９】
なお、上段袋体に収容した固形物や液体、それらから発生する臭い等が漏れるのを防止するため、上段袋体の上部開口部を、上段袋体そのものを結ぶ方法、別に用意した紐等で結ぶ方法等を用いて封止することができる。
また、上段袋体の上部開口部の縁部に紐等の線条体や帯状体の端部を固着して取手部を形成することもできる。また、上段袋体と同じ材質で線条や帯状の取手部を一体に形成してもよい。また、上段袋体の上部開口部の近傍に手等が入る孔部を形成して、これを取手部としてもよい。このような取手部を形成することにより、これに手を入れて固形物等が収容等された固形物分離袋を搬送することができ使用性に優れる。なお、上段袋体に孔部からなる取手部を形成した場合は、上段袋体の上部開口部を紐等で緊縛して封止する際には、孔部の下方で緊縛して封止する。
【００１０】
本発明の請求項２に記載の固形物分離袋は、上部開口部を有する内袋と、前記内袋の底部に形成された内袋底部開口部と、前記内袋底部開口部に形成され前記内袋底部開口部を封止する内袋底部封止部と、網状部又は複数の切れ目部若しくは孔部が形成され開口部が前記内袋の外側に固設され前記内袋を収納する外袋と、を備えた構成を有している。
この構成により、以下のような作用が得られる。
（１）内袋底部開口部に形成され内袋底部開口部を封止する内袋底部封止部を備えているので、内袋底部開口部を閉じて内袋の内袋底部開口部を封止することにより、内袋に粒状体等の固形物や液体等を収容することができる。
（２）内袋底部開口部を封止する内袋底部封止部と、網状部又は複数の切れ目部若しくは孔部が形成され開口部が内袋の外面に固設され内袋を収納する外袋と、を備えているので、粒状体等の固形物や液体等を収容した後に内袋底部封止部を開けることにより、内袋に収容されていた固形物や液体等を外袋に移し変え、網状部，切れ目部，孔部を篩として用いて、外形寸法の大きな固形物を外袋内に残し、網状部，切れ目部，孔部の開口寸法よりも外形寸法の小さな固形物や液体等は切れ目部等を通過させて分離させることができる。
（３）分離され外袋に残留した固形物は、内袋底部封止部で内袋底部開口部を封止した後、外袋を包み込むようにして内袋を裏返し、さらに内袋の上部開口部を閉じることにより封じ込めることができ、保存や廃棄を容易に行うことができる。
【００１１】
ここで、内袋としては、通液性を有さないフィルム状やシート状で形成されたものが用いられ、内袋の材質としては、例えば、ポリエチレン，ポリプロピレン，ポリエステル，ポリアミド等の熱可塑性合成樹脂製で形成されたものが用いられる。
【００１２】
内袋底部封止部としては、内袋底部開口部を封止可能なジッパー，チャック，ファスナー等で形成されたものが用いられる。内袋底部封止部は内袋の形成時に一体に形成してもよく、または内袋底部封止部を内袋の内側にヒートシールや接着剤，粘着剤等で固定してもよい。
【００１３】
外袋としては、請求項１で説明した下段袋体と同様のものが用いられるので、説明を省略する。
また、内袋も請求項１で説明した上段袋体と同様に、封止したり取手部を形成することができる。
【００１４】
本発明の請求項３に記載の発明は、請求項１又は２に記載の固形物分離袋であって、前記上段袋体又は前記内袋の前記上部開口部に形成され前記上部開口部を開閉自在にする上部開口部開閉部を備えた構成を有している。
この構成により、請求項１又は２で得られる作用に加え、以下のような作用が得られる。
（１）上部開口部を開閉自在にする上部開口部開閉部を備えているので、上段袋体や内袋の上部開口部の開け閉めを容易に行うことができるとともに、上部開口部を密閉することにより収容された液体や臭い等が漏れず使用性に優れる。
【００１５】
ここで、上部開口部開閉部としては、上部開口部を封止可能なジッパー，チャック，ファスナー，面ファスナー等で形成されたものが用いられる。上部開口部開閉部は上段袋体や内袋の形成時に一体に形成してもよく、または上部開口部開閉部を上段袋体や内袋の内側にヒートシールや接着剤，粘着剤等で固定してもよい。
また、上部開口部開閉部としては、上部開口部に袋状や環状等の紐通し部を形成し、紐通し部に紐やゴム紐等の線条体を装着したものも用いられる。
なお、上部開口部開閉部をジッパー，チャック，ファスナー等で形成した場合は、上段袋体や内袋の外側面に形成したり固定することが好ましい。上段袋体等の外側面に上部開口部開閉部が形成されていると、下段袋体や外袋に分離した固形物を保存や廃棄する場合、上段袋体等を下段袋体等を包み込むように裏返した後、上段袋体等の外側面に形成された上部開口部開閉部で容易に封止することができるからである。
【００１６】
本発明の請求項４に記載の発明は、請求項１乃至３の内いずれか１に記載の固形物分離袋であって、前記下段袋体又は前記外袋が、柔軟性を有する筒状体で被覆された構成を有している。
この構成により、請求項１乃至３の内いずれか１で得られる作用に加え、以下のような作用が得られる。
（１）分離された下段袋体や外袋内の固形物に液体が含浸しているとき等、固形物を圧搾して切れ目部等から液体を搾り出し固形物の含液率を低下させたい場合には、内袋底部封止部で内袋底部開口部を封止した後、下段袋体等内の固形物を筒状体の外側から手等を用いて圧搾することができ、固形物に手等が直接触れないため手等が汚れることなく、また清潔である。
【００１７】
ここで、筒状体としては、通液性を有さない柔軟なフィルム状で形成されたものが用いられ、筒状体の材質としては、例えば、ポリエチレン，ポリプロピレン，ポリエステル，ポリアミド等の合成樹脂製で形成されたものが用いられる。
筒状体は、上段袋体、下段袋体、内袋、外袋のいずれかの外面の所定部にヒートシールや接着剤，粘着剤等で固定することができ、下段袋体又は外袋の網状部，切れ目部，孔部を被覆する。
【００１８】
本発明の請求項５に記載のペット用トイレは、側壁と前記側壁の内側に形成された収容部とを有する収納体と、前記収容部内に配設され上部開口部が前記収納体の前記側壁に装着された請求項１乃至４の内いずれか１に記載の固形物分離袋と、を備えた構成を有している。
この構成により、以下のような作用が得られる。
（１）収納体の収容部に配設された固形物分離袋の上部開口部が収納体の側壁に装着されているので、固形物分離袋の上段袋体封止部又は内袋底部封止部を封止し上段袋体又は内袋にペットの糞尿処理材を入れておくことでペット用トイレとして用いることができ、また収納体の内側に固形物分離袋が配設されているので収納体が糞尿等で汚れ難く、使用後は、使用済みの糞尿処理材の入った固形物分離袋を新しいものと交換するだけで常に清潔に保つことができ、収納体を洗浄する等の手間を省くことができ使用性に優れる。
（２）使用後に固形物分離袋の上段袋体封止部又は内袋底部封止部を開けて使用済みの糞尿処理材を下段袋体又は外袋に移し変えると、切れ目部等の開口寸法よりも外形寸法が大きなペットの糞や、糞尿の水分と接触して糞尿処理材が固化した塊状体が下段袋体等内に残り、塊状化せずに切れ目部等の開口寸法よりも外形寸法の小さな糞尿処理材だけが切れ目部等を通過する。切れ目部等を通過した糞尿処理材は、再び使用することができる。
（３）分離され下段袋体等に残留した糞尿を吸収した糞尿処理材の塊状体や糞は、上段袋体封止部等で上段袋体開口部等を封止した後、下段袋体等を包み込むようにして上段袋体等を裏返し、さらに上段袋体等の上部開口部を閉じることにより封じ込めることができ、糞等が発生する悪臭等に悩まされることなくゴミ収集日まで保管し廃棄することができる。
（４）上段袋体封止部や内袋底部封止部を封止すれば上段袋体や内袋の内側に下段袋体や外袋が入り込まないので、猫の爪等に引っ掛かり難く破れ難くすることができる。猫は上段袋体や内袋の内側に入れられた糞尿処理材の上に乗って排泄した後、足の裏で周囲の糞尿処理材を蹴って糞を埋めて隠そうとする習性があり、上段袋体や内袋の内側に下段袋体や外袋が入り込んでいると猫の爪等が引っ掛かり破れ易いからである。
【００１９】
ここで、収納体としては、有底又は無底の箱状や枠状等に形成され少なくとも上部が開口した側壁を有するものが用いられる。
収納体の材質としては、板紙等の紙製、合成樹脂製、金属製等、種々のものを用いることができる。
【００２０】
固形物分離袋は、収納体の収容部に１枚若しくは複数枚を重装して配設することができるが、複数枚を重装して用いるのが好ましい。重装された内の最上の固形物分離袋が糞尿等で汚れたら、汚れた固形物分離袋を取り外せば下から新しい清潔な固形物分離袋が現れるので、糞尿の廃棄処理を簡便に行うことができるからである。
【００２１】
収納体に装着された固形物分離袋には、ペットが排泄した糞尿の悪臭を除去したり糞尿を固化させて掃除を簡便に行うための糞尿処理材が収容される。
糞尿処理材としては、紙製、おが屑等の木製、ベントナイト，シリカゲル，ゼオライト等の無機材料製、おから等の食品廃棄物、石炭灰等の産業廃棄物等で粒状や砂状等に形成されたものが用いられる。
【００２２】
なお、ペットとしては、各家庭で飼育されたりペット販売店等で取り扱われる猫，犬，ハムスター，モルモツト，兎，ねずみ，りす，猿等が挙げられる。
【００２３】
本発明の請求項６に記載の発明は、請求項５に記載のペット用トイレであって、前記収納体が、無底の枠状である構成を有している。
この構成により、請求項５で得られる作用に加え、以下のような作用が得られる。
（１）収納体が無底なので保管の際には嵩張り難く、また必要に応じて折畳むこともでき容易に搬送できるとともに軽量化できる。
（２）使用後（ペットが糞尿処理材の上で糞尿をした後）の固形物分離袋の下に新しい固形物分離袋を装着しておき、収納体と一緒に掴んで上方に持ち上げて篩うことにより、糞尿等の篩い分けを容易に行うことができ使用性に優れる。
【発明の効果】
【００２４】
以上のように、本発明の固形物分離袋及びそれを用いたペット用トイレによれば、以下のような有利な効果が得られる。
請求項１に記載の発明によれば、
（１）上段袋体開口部を封止する上段袋体封止部を備えているので、上段袋体開口部を閉じて上段袋体の上段袋体開口部を封止することにより、上段袋体内に粒状体等の固形物や液体等の種々の物質を収容することができ、さらに上段袋体開口部を封止する上段袋体封止部と、網状部又は複数の切れ目部若しくは孔部が形成され開口部が上段袋体開口部に連接する下段袋体と、を備えているので、粒状体等の固形物や液体等を収容した後に上段袋体封止部を開けることにより、上段袋体に収容されていた固形物や液体等を下段袋体に移し変え、網状部，切れ目部，孔部を篩として用いて、外形寸法の大きな固形物を下段袋体内に残し、網状部，切れ目部，孔部の開口寸法よりも外形寸法の小さな固形物や液体等は切れ目部等を通過させて分離させることができ、ひとつの袋で固形物等の収容、及び固形物と液体との分離や固形物の篩い分け等を行うことができ応用性に優れた固形物分離袋を提供することができる。
（２）分離され下段袋体に残留した固形物は、上段袋体封止部で上段袋体開口部を封止した後、下段袋体を包み込むようにして上段袋体を裏返し、さらに上段袋体の上部開口部を閉じることにより封じ込めることができ、周辺環境を汚染することなく密封して保存や廃棄を行うことができ保管性に優れた固形物分離袋を提供することができる。
【００２５】
請求項２に記載の発明によれば、
（１）内袋底部開口部を封止する内袋底部封止部を備えているので、内袋底部開口部を閉じて内袋の内袋底部開口部を封止することにより、内袋に粒状体等の固形物や液体等を収容することができ、さらに内袋底部開口部を封止する内袋底部封止部と、網状部又は複数の切れ目部若しくは孔部が形成され開口部が内袋の外面に固設され内袋を収納する外袋と、を備えているので、粒状体等の固形物や液体等を収容した後に内袋底部封止部を開けることにより、内袋に収容されていた固形物や液体等を外袋に移し変え、網状部，切れ目部，孔部を篩として用いて、外形寸法の大きな固形物を外袋内に残し、網状部，切れ目部，孔部の開口寸法よりも外形寸法の小さな固形物や液体等は切れ目部等を通過させて分離させることができ、ひとつの袋で固形物等の収容、及び固形物と液体との分離や固形物の篩い分け等を行うことができ応用性に優れた固形物分離袋を提供することができる。
（２）分離され外袋に残留した固形物は、内袋底部封止部で内袋底部開口部を封止した後、外袋を包み込むようにして内袋を裏返し、さらに内袋の上部開口部を閉じることにより封じ込めることができ、周辺環境を汚染することなく密封して保存や廃棄を行うことができ保管性に優れた固形物分離袋を提供することができる。
【００２６】
請求項３に記載の発明によれば、請求項１又は２の効果に加え、
（１）上部開口部を開閉自在にする上部開口部開閉部を備えているので、上段袋体や内袋の上部開口部の開け閉めを容易に行うことができるとともに、上部開口部を密閉することにより収容された液体や臭い等が漏れず使用性に優れた固形物分離袋を提供することができる。
【００２７】
請求項４に記載の発明によれば、請求項１乃至３の内いずれか１の効果に加え、
（１）分離されて下段袋体や外袋に残留した固形物に液体が含浸しているとき等、固形物を圧搾して切れ目部等から液体を搾り出し固形物の含液率を低下させたい場合には、内袋底部封止部で内袋底部開口部を封止した後、下段袋体等内の固形物を筒状体の外側から手等を用いて圧搾することができ、固形物に手等が直接触れないため手等が汚れることなく使用性に優れ、また清潔性に優れた固形物分離袋を提供することができる。
【００２８】
請求項５に記載の発明によれば、
（１）収納体の収容部に配設された固形物分離袋の上部開口部が収納体の側壁の上端部に装着されているので、固形物分離袋の上段袋体封止部又は内袋底部封止部を封止し上段袋体又は内袋にペットの糞尿処理材を入れておくことでペット用トイレとして用いることができ、また収納体の内側に固形物分離袋が配設されているので収納体が糞尿等で汚れ難く、使用後は、使用済みの糞尿処理材の入った固形物分離袋を新しいものと交換するだけで常に清潔に保つことができ、収納体を洗浄する等の手間を省くことができ使用性に優れたペット用トイレを提供することができる。
（２）使用後に固形物分離袋の上段袋体封止部又は内袋底部封止部を開けて使用済みの糞尿処理材を下段袋体又は外袋に移し変えると、切れ目部等の開口寸法よりも外形寸法が大きなペットの糞や、糞尿の水分と接触して糞尿処理材が固化した塊状体が下段袋体等内に残り、塊状化せずに切れ目部等の開口寸法よりも外形寸法の小さな糞尿処理材だけが切れ目部等を通過するので、切れ目部等を通過した糞尿処理材を無駄なく再び使用することができ省資源性に優れたペット用トイレを提供することができる。
（３）分離され下段袋体等に残留した糞尿を吸収した糞尿処理材の塊状体や糞は、上段袋体封止部等で上段袋体開口部等を封止した後、下段袋体等を包み込むようにして上段袋体等を裏返し、さらに上段袋体等の上部開口部を閉じることにより封じ込めることができ、糞等が発生する悪臭等に悩まされることなくゴミ収集日まで保管し廃棄することができ使用性に優れたペット用トイレを提供することができる。
（４）上段袋体封止部や内袋底部封止部を封止すれば上段袋体や内袋の内側に下段袋体や外袋が入り込まないので、猫の爪等に引っ掛かり難く破れ難くすることができ、１枚の固形物分離袋を長期間使用することができ省資源性に優れたペット用トイレを提供することができる。
【００２９】
請求項６に記載の発明によれば、請求項５の効果に加え、
（１）収納体が無底なので保管の際には嵩張り難く、また必要に応じて折畳むこともでき容易に搬送できるとともに軽量化でき使用性に優れたペット用トイレを提供することができる。
（２）使用後（ペットが糞尿処理材の上で糞尿をした後）の固形物分離袋の下に新しい固形物分離袋を装着しておき、収納体と一緒に掴んで上方に持ち上げて篩うことにより、糞尿等の篩い分けを容易に行うことができ使用性に優れたペット用トイレを提供することができる。
【発明を実施するための最良の形態】
【００３０】
以下、本発明を実施するための最良の形態を、図面を参照しながら説明する。
（実施の形態１）
図１は本発明の実施の形態１における固形物分離袋の斜視図である。
図中、１は実施の形態１における固形物分離袋、２はポリエチレン製等の合成樹脂製シート等で形成された上段袋体、３は上段袋体２の上部開口部、４は上部開口部３に形成され上部開口部３を開閉自在にする上部開口部開閉部、４ａは上部開口部３を折り返して袋状に形成した上部開口部開閉部４の紐通し部、４ｂは紐通し部４ａに装着された紐やゴム紐等の線条体、５は上段袋体２の底部に形成された上段袋体開口部、６は上段袋体２の下部の内側面に形成され上段袋体開口部５を封止するジッパー，チャック，ファスナー等からなる上段袋体封止部、７は開口部が上段袋体開口部５に連接する袋状の下段袋体、８は上段袋体封止部６の下側に溶着等された網状で袋状に形成された下段袋体７の網状部である。
【００３１】
次に、実施の形態１における固形物分離袋を用いたペット用トイレについて、図面を参照しながら説明する。
図２（ａ）は実施の形態１における固形物分離袋を用いたペット用トイレの分解斜視図であり、図２（ｂ）は実施の形態１における固形物分離袋を用いたペット用トイレの使用状態を示す斜視図であり、図３は固形物分離袋を用いて固形物を分離する状態を示す模式図であり、図４は分離され固形物が残留した固形物分離袋の状態を示す模式図であり、図５は固形物分離袋に固形物を封入する状態を示す模式図であり、図６は固形物分離袋に固形物を封入した状態を示す模式図である。
図中、１０は本発明の実施の形態１における固形物分離袋１を重装して装着したペット用トイレ、１１は平面形状が矩形状の上部が開口した有底の箱状に形成された収納体、１２は収納体１１の底部、１３は底部１１の外周に立設された側壁、１４は側壁１３の内側に形成された収納体１１の収容部、１５は収納体１１の収容部１４内に配設された固形物分離袋１の上段袋体２に収容された砂状や粒状等の糞尿処理材、１６はペットが排泄した糞尿によって糞尿処理材１５が固化した塊状体や糞等の固形物である。
【００３２】
以上のように構成された本発明の実施の形態１における固形物分離袋を用いたペット用トイレについて、以下その使用方法を説明する。
上段袋体封止部６を封止した固形物分離袋１を、図２（ａ）に示すように複数枚重装し、重装した固形物分離袋１を、図２（ｂ）に示すように固形物分離袋１の上部開口部３を収納体１１の側壁１３の外側に折り返して収納体１１に装着し、収納体１１の上段袋体２を収容部１４に配設してペット用トイレ１０を完成させる。次に、最上の固形物分離袋１の上段袋体２に所定量の糞尿処理材１５を収容する。
ペットがペット用トイレ１０の糞尿処理材１５の上で糞尿を排泄した後、新しい固形物分離袋１と交換する際には、図３に示すように、糞尿が入った最上の固形物分離袋１だけを収納体１１から取り外す。次に、収納体１１に装着された他の固形物分離袋１の上方で、糞尿が入った固形物分離袋１の上段袋体封止部６を開けて、糞尿が排泄された糞尿処理材１５を下段袋体７に移す。篩うようにすると、下段袋体７の網状部８の目開きより大きなペットが排泄した糞尿によって糞尿処理材１５が固化した塊状体や糞等の固形物１６が下段袋体７内に残り（図４参照）、網状部８の目開きより小さな糞尿と未接触の糞尿処理材１５が網状部８を通過し、下方の固形物分離袋１に落下する。
固形物分離袋１に落下した糞尿処理材１５の量は、一部が下段袋体７内に固形物１６として残って少なくなっているため、新規の糞尿処理材を所定量追加する。
【００３３】
次に、固形物分離袋を用いた糞等の廃棄処理方法について説明する。
図４に示すように、糞等の固形物１６を下段袋体７内に分離させた後、上段袋体封止部６を封止し、次いで、図５に示すように、上段袋体２を裏返しながら下段袋体７を包み込む。上段袋体２で下段袋体７を完全に包み込んだ後、図６に示すように、上段袋体２に形成した上部開口部開閉部４の線条体４ｂで上部開口部３を閉じることにより、上段袋体２の内部に糞等の固形物１６を封じ込める。
【００３４】
以上のように、本発明の実施の形態１における固形物分離袋は構成されているので、以下のような作用が得られる。
（１）上段袋体開口部５を封止する上段袋体封止部６を備えているので、上段袋体封止部６を閉じて上段袋体２の上段袋体開口部５を封止することにより、上段袋体２内に粒状体等で形成された糞尿処理材等の固形物１６を収容することができる。
（２）上段袋体開口部５を封止する上段袋体封止部６と、網状部８が形成され開口部が上段袋体開口部５に連接する下段袋体７と、を備えているので、糞尿処理材１５等を上段袋体２に収容して糞尿処理材１５を使用した後に上段袋体封止部６を開けることにより、上段袋体２に収容されていた糞尿処理材１５や糞尿等の固形物１６等を下段袋体７に移し変え、網状部８を篩として用いて、外形寸法の大きな固形物１６を下段袋体７内に残し、網状部８の目開きよりも外形寸法の小さな糞尿処理材１５は網状部８を通過させて分離させることができる。
（３）分離され下段袋体７に残留した固形物１６は、上段袋体封止部６で上段袋体開口部５を封止した後、下段袋体７を包み込むようにして上段袋体２を裏返し、さらに上段袋体２の上部開口部３を閉じることにより封じ込めることができ容易に廃棄できる。
（４）上部開口部３を開閉自在にする上部開口部開閉部４を備えているので、上段袋体２の上部開口部３の開閉を容易に行うことができるとともに、上部開口部３を密閉することにより収容された固形物１６や臭い等が漏れず使用性に優れる。
【００３５】
また、本発明の実施の形態１における固形物分離袋を用いたペット用トイレによれば、以下のような作用が得られる。
（１）収納体１１の収容部１４に配設された固形物分離袋１の上部開口部３外側に折り返して収納体１１の側壁１３に装着されているので、固形物分離袋１の上段袋体封止部６を封止し上段袋体２にペットの糞尿処理材１５を入れておくことでペット用トイレ１０として用いることができ、また収納体１１の内側に固形物分離袋１が配設されているので収納体１１が糞尿等で汚れ難く、使用後は、使用済みの糞尿処理材１５や糞尿等の固形物１６の入った固形物分離袋１を新しいものと交換するだけで常に清潔に保つことができ、収納体１１を洗浄する等の手間を省くことができ使用性に優れる。
（２）使用後（ペットが糞尿処理材１５の上で糞尿をした後）に固形物分離袋１の上段袋体封止部６を開けて使用済みの糞尿処理材１５を下段袋体７に移し変えると、網状部８の目開きよりも外形寸法が大きなペットの糞や糞尿の水分と接触して糞尿処理材１５が固化した塊状の固形物１６が下段袋体７内に残り、塊状化せずに網状部８の目開きよりも外形寸法の小さな糞尿処理材１５だけが網状部８を通過する。網状部８を通過した糞尿処理材１５は、再び使用することができる。
（３）分離され下段袋体７に残留した糞尿を吸収した糞尿処理材１５の塊状体や糞等の固形物１６は、上段袋体封止部６を封止した後、下段袋体７を包み込むようにして上段袋体２を裏返し、さらに上段袋体２の上部開口部３を閉じることにより封じ込めることができ、糞等が発生する悪臭等に悩まされることなくゴミ収集日まで保管し廃棄することができる。
（４）上段袋体封止部６を封止すれば上段袋体２の内側に下段袋体７が入り込まないので、猫の爪等に引っ掛かり難く破れ難くすることができる。猫等のペットは上段袋体２の内側に入れられた糞尿処理材１５の上に乗って排泄した後、手足の裏で周囲の糞尿処理材１５を蹴って糞を埋めて隠そうとする習性があり、上段袋体２の内側に下段袋体７が入り込んでいると猫の爪等が引っ掛かり破れ易いからである。
（５）収納体１１に固形物分離袋１が複数枚重装されて配設されているので、使用済みの最上の固形物分離袋１を上方に持ち上げ使用前の固形物分離袋１の上で篩うことによって、尿等を吸収しておらず塊状化せずに網状部８の目開きよりも外形寸法の小さな糞尿処理材１５だけを網状部８を通過させて使用前の固形物分離袋１の上段袋体２内に入れることができる。網状部８を通過した糞尿処理材１５は、尿等を吸収していないため再び使用することができ、これに新しい糞尿処理材を所定量追加するだけでよく使用性に優れる。
【００３６】
なお、実施の形態１の固形物分離袋１では、下段袋体７に網状部８を形成した場合について説明したが、網状部８を用いる代わりに袋壁に所定寸法の孔部を形成する場合もある。この場合は、網状部を用いた場合に得られる作用に加え、下段袋体を上段袋体と同一素材を用いて製造できるため生産性に優れるという作用が得られる。
また、実施の形態１のペット用トイレ１０では、収納体１１に固形物分離袋１が複数枚重装されて配設された場合について説明したが、重装して配設するだけでなく、１枚ずつ装着して適宜交換していくこともできる。
また、収納体１１が有底の箱状に形成された場合について説明したが、無底の枠状に形成する場合もある。この場合は、ペット用トイレを搬送するのは困難であるが、静置して用いる場合には軽量化できるので好ましい。また、無底の枠状の収納体に装着した使用後（ペットが糞尿処理材１５の上で糞尿をした後）の固形物分離袋１の下に新しい固形物分離袋（上段袋体封止部６は閉じておく）を装着しておき、上段袋体封止部６を開け無底の枠状に形成された収納体と一緒に掴んで上方に持ち上げて篩うことにより、糞尿等の固形物１６等の網状部８での篩い分けを容易に行うことができ使用性に優れる。
なお、有底や無底の収納体の平面形状は、矩形状の他、方形状、円形状、楕円形状、三角形，五角形等の多角形等の幾何学的形状、花型，動物の形態や顔を模した型，星型，三日月型等の種々の形状に形成することができる。
【００３７】
（実施の形態２）
図７は実施の形態２における固形物分離袋の斜視図である。なお、実施の形態１で説明したものと同様のものは、同じ符号を付して説明を省略する。
図中、１ａは実施の形態２における固形物分離袋、４ｃは上段袋体２の上部開口部３に形成されたジッパー，チャック，ファスナー等からなる上部開口部開閉部、８ａは下段袋体７に形成された切れ目部である。
実施の形態２における固形物分離袋が実施の形態１と異なる点は、上部開口部開閉部４ｃがジッパー，チャック，ファスナー等で形成され、下段袋体７に複数の切れ目部８ａが形成されている点である。
【００３８】
これらの相違により、実施の形態２における固形物分離袋は、実施の形態１に記載の作用に加え、以下のような作用が得られる。
（１）上部開口部開閉部４ｃがジッパー，チャック，ファスナー等で形成されているので、上段袋体２の形成時に一体に形成することができ生産性に優れる。
（２）切れ目部８ａが下段袋体７に形成されているので、下段袋体７と上段袋体２を一体に形成した後、下段袋体７に切れ目部８ａを形成することができ生産性に優れるとともに、品質の安定性に優れる。
【００３９】
（実施の形態３）
図８は実施の形態３における固形物分離袋の斜視図である。なお、実施の形態１、実施の形態２で説明したものと同様のものは、同じ符号を付して説明を省略する。
図中、１ｂは実施の形態３における固形物分離袋、２０は通液性を有さず柔軟性を有するポリエチレン等の合成樹脂製のフィルム状で形成され上端部の全周が下段袋体７の上部の外面に固着され下端部が開口する筒状体であり、下段袋体７の切れ目部８ａが筒状体２０で被覆されている。
【００４０】
以上のように構成された実施の形態３における固形物分離袋の使用方法について、以下図面を参照しながら説明する。
図９は実施の形態３における固形物分離袋を用いて野菜の漬け物を作成している状態を示す模式図であり、図１０は作成した漬け物の水気を絞る状態を示す模式図である。
図中、２１は食べ易い大きさに切ったものに塩等をまぶして漬け込まれたナスやキュウリ等の野菜である。
【００４１】
漬け物を作成する際には、固形物分離袋１ｂの上段袋体開口部６を封止した後、図９に示すように、上段袋体２ナスやキュウリ等を食べ易い大きさに切断した野菜２１を塩等とともに上段開口部３から上段袋体２に入れ、次いで、上部開口部開閉部４ｃを封止して野菜２１を漬け込む。
漬け込みが終わったら、図１０に示すように、上段袋体封止部６を開けて野菜２１を下段袋体７に移し、野菜２１から出た水気を切れ目部８ａを通過させて除去する。さらに、筒状体２０を介して下段袋体７を手で圧搾することにより野菜２１に含まれる水気も絞り取ることができる。
【００４２】
以上のように実施の形態３における固形物分離袋は構成されているので、実施の形態１乃至実施の形態２に記載の作用に加え、以下のような作用が得られる。
（１）下段袋体７が筒状体２０で被覆されているので、下段袋体７内の野菜２１の漬け物（固形物）の水気を切るため筒状体２０の外側から手で圧搾すれば、漬け物に手が直接触れないため手が汚れることなく、また手が直接漬け物に触れないため清潔である。
【００４３】
なお、実施の形態３における固形物分離袋では、筒状体２０の上端部の全周を下段袋体７の上部の外面に固着した場合について説明したが、筒状体２０を長く形成して筒状体２０の上端部の全周を上段袋体２の所定部の外面に固着する場合もある。この場合も筒状体２０で下段袋体７の切れ目部８ａを被覆することができるので、同様の作用が得られる。
【００４４】
（実施の形態４）
図１１は実施の形態４における固形物分離袋の一部破断斜視図である。なお、実施の形態１で説明したものと同様のものは、同じ符号を付して説明を省略する。
図中、１ｃは実施の形態４における固形物分離袋、２ａはポリエチレン製等の合成樹脂製シート等で形成された内袋、４ｄは内袋２ａの上部開口部３に形成され上部開口部３を開閉自在にするジッパー，チャック，ファスナー等からなる上部開口部開閉部、５ａは内袋２ａの底部に形成された内袋底部開口部、６ａは内袋底部開口部５ａの内側に形成され内袋底部開口部５ａを封止するジッパー，チャック，ファスナー等からなる内袋底部封止部、７ａは開口部が内袋２ａの外面の所定部に固着された網状部を有する網状の外袋である。
【００４５】
実施の形態４における固形物分離袋の使用方法は、実施の形態１や実施の形態３で説明したものと同様であり、固形物分離袋１ｃの内袋底部封止部６ａを封止した後、上部開口部３から固形物や液体等の混合物等を内袋２ａ内に入れて収容する。使用後には、内袋底部封止部６ａを開けて混合物等を外袋７ａに移し、目開きよりも外径寸法の小さな固形物や液体を外袋７ａで篩い分けることができる。
【００４６】
以上のように、実施の形態４における固形物分離袋は構成されているので、以下のような作用が得られる。
（１）内袋底部開口部５ａを封止する内袋底部封止部６ａを備えているので、内袋２ａの内袋底部開口部５ａを封止することにより、内袋２ａに固形物や液体等の混合物等を収容することができる。
（２）内袋底部開口部５ａを封止する内袋底部封止部６ａと、開口部が内袋２ａの外面に固設され内袋２ａを収納する網状部を有する網状の外袋７ａと、を備えているので、固形物や液体等の混合物等を収容した後に内袋底部封止部６ａを開けることにより、内袋２ａに収容されていた混合物等を外袋７ａに移し変え、網状部を篩として用いて、外形寸法の大きな固形物を外袋７ａ内に残し、網状部の目開きよりも外形寸法の小さな固形物や液体等を外袋７ａを通過させて分離させることができる。
（３）分離され外袋７ａに残留した固形物は、内袋底部封止部６ａで内袋底部開口部５ａを封止した後、外袋７ａを包み込むようにして内袋２ａを裏返し、さらに内袋２ａの上部開口部３を閉じることにより封じ込めることができ、保存や廃棄を容易に行うことができる。
【産業上の利用可能性】
【００４７】
本発明は、固形物や液体等の混合物等を収容し、収容後には所定サイズよりも小さな固形物や液体等を分離できる固形物分離袋及びそれを用いたペット用トイレに関するものであり、ひとつの袋で固形物等の収容、及び固形物と液体との分離や固形物の篩い分け等を行うことができ応用性に優れ、さらに周辺環境を汚染することなく密封して保存や廃棄を行うことができ保管性に優れる固形物分離袋を提供することができ、また、洗浄等を行わなくても容易に清潔に保つことができ清潔性に優れ、糞等が発生する悪臭等に悩まされることなくゴミ収集日まで保管し廃棄することができ使用性に優れ、さらに猫の爪等に引っ掛かり難く破れ難く省資源性に優れるペット用トイレを提供することができる。
【図面の簡単な説明】
【００４８】
【図１】実施の形態１における固形物分離袋の斜視図
【図２】（ａ）実施の形態１における固形物分離袋を用いたペット用トイレの分解斜視図  （ｂ）実施の形態１における固形物分離袋を用いたペット用トイレの使用状態を示す斜視図
【図３】固形物分離袋を用いて固形物を分離する状態を示す模式図
【図４】分離され固形物が残留した固形物分離袋の状態を示す模式図
【図５】固形物分離袋に固形物を封入する状態を示す模式図
【図６】固形物分離袋に固形物を封入した状態を示す模式図
【図７】実施の形態２における固形物分離袋の斜視図
【図８】実施の形態３における固形物分離袋の斜視図
【図９】実施の形態３における固形物分離袋を用いて野菜の漬け物を作成している状態を示す模式図
【図１０】作成した漬け物の水気を絞る状態を示す模式図
【図１１】実施の形態４における固形物分離袋の一部破断斜視図
【符号の説明】
【００４９】
１，１ａ，１ｂ，１ｃ  固形物分離袋
２  上段袋体
２ａ  内袋
３  上部開口部
４，４ｃ，４ｄ  上部開口部開閉部
４ａ  紐通し部
４ｂ  線条体
５  上段袋体開口部
５ａ  内袋底部開口部
６  上段袋体封止部
６ａ  内袋底部封止部
７  下段袋体
７ａ  外袋
８  網状部
８ａ  切れ目部
１０  ペット用トイレ
１１  収納体
１２  底部
１３  側壁
１４  収容部
１５  糞尿処理材
１６  固形物
２０  筒状体
２１  野菜
【図１】
2005130794.tif 000003
【図２】
2005130794.tif 000004
【図３】
2005130794.tif 000005
【図４】
2005130794.tif 000006
【図５】
2005130794.tif 000007
【図６】
2005130794.tif 000008
【図７】
2005130794.tif 000009
【図８】
2005130794.tif 000010
【図９】
2005130794.tif 000011
【図１０】
2005130794.tif 000012
【図１１】
2005130794.tif 000013